(57)【要約】【課題】各地域（国を含む）ごとに携帯型無線通信機２０の通信仕様が異なるため、送信側ＲＦ信号増幅部６０の送信電力仕様も異なる。各送信電力仕様ごとに対応する回路を装備して、その切替で各送信電力仕様に対応しようとすると、部品点数が増大するので、これを回避する解決手段を提供する。【解決手段】送信側ＲＦ信号増幅用アンプ６２，６４，６５は、オートパワー制御電圧信号ＡＰＣＶの制御量及びタイミングに対応する量及びタイミングの出力を生成する。ＣＰＵ５３は、各送信電力仕様に対応する各オートパワー制御信号ＡＰＣをソフトウェア処理により生成可能になっており、現在地の送信電力仕様に係るオートパワー制御信号ＡＰＣを選択して、それをＤ／Ａ変換器７０に供給する。Ｄ／Ａ変換器７０は、オートパワー制御信号ＡＰＣの値及びタイミングに対応する量及びタイミングのＡＰＣＶをアンプ６２，６４，６５へ出力する。【選択図】図５
2008153972.tif 000002
【特許請求の範囲】
【請求項１】
送信用ＲＦ信号の増幅用に複数段に接続された複数の増幅器を含み各増幅器がアナログの制御信号の制御量に応じた出力電力に制御されるＲＦ信号増幅部、
デジタル信号を供給され該デジタル信号の値に応じた制御量と該デジタル信号の供給タイミングに応じた制御タイミングとの制御信号を生成して前記増幅器へ供給する制御信号供給手段、
前記ＲＦ信号増幅部の電力立ち上がり時又は立下り時の各地域別の送信電力仕様で前記ＲＦ信号増幅部に送信電力を出力させる各地域仕様別デジタル信号を生成自在とし、選択した地域仕様別デジタル信号を前記制御信号供給手段に供給するデジタル信号供給手段、及び
前記ＲＦ信号増幅部の電力立ち上がり又は立下りを実行する際は、現在地に適用される送信電力仕様に係る地域仕様別デジタル信号を前記デジタル信号供給手段に選択させる選択指示手段、
を備え、
前記デジタル信号供給手段及び前記選択指示手段はソフトウェア処理により実現されることを特徴とする無線通信機。
【請求項２】
前記制御信号供給手段が増幅器に供給する制御信号は各増幅器に共通又は別々のものであることを特徴とする請求項１記載の無線通信機。
【請求項３】
現在地を検出する現在地検出手段、及び
前記現在地検出手段が検出した現在地に適用される送信電力仕様に係る地域仕様別デジタル信号を前記デジタル信号供給手段に選択させる前記選択指示手段、
を備えることを特徴とする請求項１又は２記載の無線通信機。
【請求項４】
少なくとも１個の増幅器に対して、制御信号に対する出力遅延時間又は出力レベル範囲の調整用の可変抵抗素子又は可変容量素子を備えることを特徴とする請求項１〜３のいずれかに記載の無線通信機。
【発明の詳細な説明】
【技術分野】
【０００１】
本発明は、送信電力特性についての複数の地域仕様に対応する無線通信機に関する。
【背景技術】
【０００２】
特許文献１は、国や地域別に異なる通信仕様に対処する通信装置を開示する（特許文献１の段落０００７）。該通信装置によれば、メーカー出荷後、使用地において、国等を指定すれば、対応のパラメータがメモリに格納され（特許文献１の段落００３０）、該通信装置は、該パラメータに対応する通信仕様へ切り替えられて、各使用地で支障なく使用することができるようになっている。
【特許文献１】特開２００５−３５４４９４号公報
【発明の開示】
【発明が解決しようとする課題】
【０００３】
特許文献１の通信装置は、異なる通信仕様に対応して複数の代替回路部分を搭載し、設定されたパラメータに対応する代替回路部分へ切り替えるようにしているため（特許文献１の段落０００３）、対応通信仕様の個数分だけ代替回路を装備する必要があり、これは、通信装置の部品点数の増大や通信装置の大型化に繋がる。
【０００４】
無線通信機は、送信用ＲＦ信号の増幅用のＲＦ信号増幅部を備えるが、地域別通信仕様は、送信用ＲＦ信号増幅部の送信電力仕様についても規定されている。
【０００５】
本発明の目的は、送信用ＲＦ信号増幅部として送信電力仕様別に代替回路部分を装備することなく、各地域の送信電力仕様に対応することのできる無線通信機を提供することである。
【課題を解決するための手段】
【０００６】
本発明の無線通信機によれば、ＲＦ信号増幅部の送信電力特性は、ＲＦ信号増幅部の各増幅器の出力量及び出力タイミングにより変更するようにする。さらに、ＲＦ信号増幅部の各増幅器の出力量及び出力タイミングは、各増幅器への制御信号の制御量及び制御ＲＦ信号増幅部により制御するとともに、制御信号を生成する基になるデジタル信号はソフトウェアによりＣＰＵにおいて生成する。実装するソフトウェアは、ＲＦ信号増幅部の出力特性についての各地域別仕様に対応する値及びタイミングのデジタル信号を生成可能になっており、現在地に応じて、該現在地に適用される送信電力仕様に係るデジタル信号を出力する。
【０００７】
本発明の無線通信機は、
送信用ＲＦ信号の増幅用に複数段に接続された複数の増幅器を含み各増幅器がアナログの制御信号の制御量に応じた出力電力に制御されるＲＦ信号増幅部、
デジタル信号を供給され該デジタル信号の値に応じた制御量と該デジタル信号の供給タイミングに応じた制御タイミングとの制御信号を生成して増幅器へ供給する制御信号供給手段、
ＲＦ信号増幅部の電力立ち上がり時又は立下り時の各地域別の送信電力仕様でＲＦ信号増幅部に送信電力を出力させる各地域仕様別デジタル信号を生成自在とし、選択した地域仕様別デジタル信号を制御信号供給手段に供給するデジタル信号供給手段、及び
ＲＦ信号増幅部の電力立ち上がり又は立下りを実行する際は、現在地に適用される送信電力仕様に係る地域仕様別デジタル信号をデジタル信号供給手段に選択させる選択指示手段、
を備える。そして、デジタル信号供給手段及び選択指示手段はソフトウェア処理により実現される。
【発明の効果】
【０００８】
本発明によれば、現在地に適用される送信出力仕様に対応する地域仕様別デジタル信号をソフトウェア処理により生成し、オートパワー信号が、該地域仕様別デジタル信号に基づいて制御量及び制御タイミングで、ＲＦ信号増幅部の各増幅器へ供給されて、ＲＦ信号増幅部が、対応の送信電力仕様で送信電力を生成するようになっている。したがって、各仕様地域ごとに異なる送信電力仕様に対して、仕様別に回路部分を装備することなく、各地域別送信電力仕様に対応することができる。
【発明を実施するための最良の形態】
【０００９】
図１は無線通信仕様の異なる２個の仕様地域における携帯型無線通信機ＨＴＡ，ＨＴＢの使用状況を示す。地域Ａ，Ｂは、異なる国又は仕向け地域となっており、適用される無線通信仕様が異なっている。携帯型無線通信機ＨＴＡ，ＨＴＢは、ＧＰＳ衛星１５からのＧＰＳ電波に基づき現在地を検出し、現在地が属している地域Ａ，Ｂの送信電力仕様に自動的に切り替わるようになっている。
【００１０】
基地局ＢＳ−Ａ，ＢＳ−Ｂは、それぞれ地域Ａ，Ｂにおいて認可されている通信業者により地域Ａ，Ｂ内の所定地点に設置されており、当然に地域Ａ，Ｂの無線通信仕様のみに対応している。携帯型無線通信機ＨＴＡ，ＨＴＢは、地域Ａ，Ｂへ持ち込まれると、更新後の現在地を自動的に検出するとともに、地域Ａ，Ｂ用の無線通信仕様に切り替わ。そして、携帯型無線通信機ＨＴＡ，ＨＴＢは、地域Ａ，Ｂにおいて、基地局ＢＳ−Ａ，ＢＳ−Ｂを介して相互に送受信することができる。
【００１１】
図２は携帯型無線通信機２０の概略的な全体回路図である。アンテナ２１は、ローパスフィルタ２２を介してアンテナスイッチ２３へ接続されている。アンテナスイッチ２３は、受信モードでは、ローパスフィルタ２２側をＲＸ（受信）側へ接続し、送信モードでは、ローパスフィルタ２２側をＴＸ（送信）側へ接続する。
【００１２】
受信電波のＲＦ信号は、バンドパスフィルタ２６、アンプ２７及びバンドパスフィルタ２８を経てミキサ２９へ到達する。ミキサ２９は、バンドパスフィルタ２８からのＲＦ信号と受信側ＶＣＯ（ＶＣＯ：電圧制御発振器）３２からの所定周波数の発振信号とを混合して、所定のチャンネルのＲＦ信号を抽出して、ＩＦ信号へ変換する。該ＩＦ信号はバンドパスフィルタ３５及びアンプ３６を経てミキサ３７へ到達する。
【００１３】
ミキサ３７では、アンプ３６からのＩＦ信号をダウンコンバートした信号が生成され、該信号は、アンプ３８を経て、ＤＳＰ４２へ供給される。ＤＳＰ４２は、アンプ３８からの入力信号を復調及び復号して、アナログオーディオ信号とデータとを分離、抽出する。
【００１４】
ＣＰＵ５３は、ＤＳＰ４２からのデータや記憶部５４の記憶データに基づき所定の処理を行う。アンプ４３は、ＤＳＰ４２からのオーディオ信号を増幅して、スピーカ４４へ供給する。スピーカ４４は、オーディオ信号に対応するオーディオを出力する。記憶部５４はＲＡＭ及びＲＯＭを含む。
【００１５】
送信モード時では、ユーザの話し音はマイクロホン４８によりオーディオ信号へ変換され、該オーディオ信号がアンプ４９を経てＤＳＰ４２へ供給される。ＤＳＰ４２は、アンプ４９からのオーディオ信号をＣＰＵ５３からのデータに基づき符号化し、さらに、それから変調信号を生成する。変調信号は送信側ＶＣＯ５７へ送られる。ＧＰＳ信号抽出部５５は、ＧＰＳ電波を受信してＣＰＵ５３へ送る。ＣＰＵ５３は、該ＧＰＳ電波に基づき携帯型無線通信機２０の現在地に適用される送信電力仕様を検出する。
【００１６】
送信側ＶＣＯ５７は、ＤＳＰ４２からの変調信号に基づきＲＦ信号を生成し、送信側ＲＦ信号増幅部６０へ送る。ＰＬＬ５８及びループフィルタ５９は、受信側ＶＣＯ３２及び送信側ＶＣＯ５７の出力信号の周波数を所定値に合わせるフィードバック電圧を生成し、受信側ＶＣＯ３２及び送信側ＶＣＯ５７へ供給する。送信側ＲＦ信号増幅部６０については、図５において後述する。
【００１７】
図３は携帯型無線通信機２０が記憶部５４の不揮発性メモリ部に記憶している情報内容を示している。無線通信仕様には、各地域ごとに異なる地域別相違部分と、各地域に共通の地域共通部分とがある。地域別相違部分には、制御動作するタイミング、周波数、送信出力、変調方式・・・が含まれる。地域共通部分は、図３において「その他の設定など」と記載されている。
【００１８】
記憶部５４には、無線通信仕様について、複数の地域別相違部分と、複数の地域共通部分とが記憶されている。従来の無線通信機では、地域別相違部分は１個のみであった。
【００１９】
図４は携帯型無線通信機２０の各送信電力仕様における送信側ＲＦ信号増幅部６０の送信出力立ち上げ時の出力特性を示している。図４（ａ）及び（ｂ）の送信電力仕様はそれぞれＥＩＡ／ＴＡ規格及びＥＮ規格となっている。詳細はＥＩＡ／ＴＩＡ−６０３及びＥＮ３００を参照されたい。図４において、横軸は時間、縦軸は送信立ち上げ時の送信側ＲＦ信号増幅部６０の出力レベルを示している。
【００２０】
図４（ａ）のＥＩＡ／ＴＩＡ規格では、Ｋｅｙをトリガーとして、１００ｍｓ以内に出力レベルが最大値（Max Power）から−３ｄＢのレベルとなるようにしなければならない。
【００２１】
これに対し、図４（ｂ）のＥＮ規格では、２５ｍｓ以内に出力レベルが安定し、尚且つ該出力レベルは、それが安定する手前の時刻で−５０ｄＢ以下でなければならない。さらに、出力レベルが−３０ｄＢから−６ｄＢの間で０．２ｍｓ以上なければならない。さらに、安定化後も、出力レベルは＋１．５ｄＢ〜１．０ｄＢの範囲内でなければならない。
【００２２】
図５は送信側ＲＦ信号増幅部６０の回路図である。プリドライブ用アンプ６１、ドライブ用アンプ６２、減衰器６３、プリファイナル用アンプ６４及びファイナル用アンプ６５は、送信側ＶＣＯ５７（ＶＣＯ）とアンテナスイッチ２３との間に送信側ＶＣＯ５７側から順番にカスケード接続されている。ドライブ用アンプ６２、プリファイナル用アンプ６４及びファイナル用アンプ６５は、Ｄ／Ａ変換器７０からアナログのオートパワー制御電圧信号ＡＰＣＶを供給され、増幅率及び増幅タイミングをオートパワー制御電圧信号ＡＰＣＶの制御電圧及び制御タイミングに合わせられる。
【００２３】
ディップスイッチ信号ＤＳＷ、オートパワー制御信号ＡＰＣ及びＡＰＣ切替信号ＡＰＣＳＷは送信側ＲＦ信号増幅部６０へＣＰＵ５３（図２）から供給される。ディップスイッチ信号ＤＳＷは、トランジスタ７１のオン、オフを切り替え、オートパワー制御電圧信号ＡＰＣＶの有効、無効を切り替える。Ｄ／Ａ変換器７０はデジタル信号形式のオートパワー制御信号ＡＰＣをアナログ信号形式のオートパワー制御電圧信号ＡＰＣＶへ変換する。ＡＰＣ切替信号ＡＰＣＳＷはＦＥＴ７２のオン、オフを制御する。
【００２４】
ファイナル用アンプ６５の入力電圧及び出力電圧はＶｄｓと定義され、ＦＥＴ７２がオフ時はＶｄｓ＝＋Ｂとなり、ＦＥＴ７２がオン時はＦＥＴ７２がオフ時はＶｄｓ＜＋Ｂとなる。比較器７３は、ＶｄｓをＣＰＵ５３（図２）へフィードバックする。
【００２５】
送信モードでは、送信側ＶＣＯ５７からのＲＦ信号がＴＸ段に入力され、その後、”５Ｔ”，”ＡＰＣＳＷ”，”ＡＰＣ”、“ＤＳＷ”がその順番で制御される。ＣＰＵ５３からのデジタル信号形式のオートパワー制御信号ＡＰＣはＤ／Ａ変換器７０を通じて、それぞれに接続されているドライブ用アンプ６２、プリファイナル用アンプ６４及びファイナル用アンプ６５に”ＡＰＣＶ”として供給する。この時、電圧値及び時定数（電圧供給タイミング）をあらかじめソフト設定しておく。該ソフト設定は、送信側ＲＦ信号増幅部６０の出力が、図４のＥＩＡ／ＴＩＡ規格やＥＮ規格に準拠するものとなるように、なされたものであり、該ソフト設定に基づきドライブ用アンプ６２、プリファイナル用アンプ６４及びファイナル用アンプ６５の動作タイミング及び送信出力が制御される。
【００２６】
比較器７３は、“＋Ｂ”と”Ｖｄｓ”との電圧差を検出して、ＣＰＵ５３へ送り、ＣＰＵ５３は、該電圧差に基づきＤ／Ａ変換器７０へのデジタル信号の値を補正する。
【００２７】
携帯型無線通信機２０が送信モードから受信モードへ切り替わる場合（送信電力の立下り時）には、”ＤＳＷ”→”ＡＰＣ”→”ＡＰＣＳＷ”→”５Ｔ”と、順番で制御される。これにより、送信側ＲＦ信号増幅部６０の送信電力特性は、送信モードから受信モードへの切り替わり時についてＥＩＡ／ＴＩＡ規格やＥＮ規格に規定されたものに制御される。
【００２８】
図６は別のＲＦ信号増幅部８０の回路図である。ＲＦ信号増幅部８０は、送信側ＲＦ信号増幅部６０の代わりに携帯型無線通信機２０に装備される。図６の回路図において、図５（送信側ＲＦ信号増幅部６０）の回路図と共通する部分については送信側ＲＦ信号増幅部６０の対応部分と同一の番号を付して、説明は省略する。相違点について説明する。
【００２９】
ＲＦ信号増幅部８０では、可変インピーンダンス部８２，８４，８５が、それぞれドライブ用アンプ６２、プリファイナル用アンプ６４及びファイナル用アンプ６５に対応して設けられ、可変インピーンダンス部８２，８４，８５のインピーダンスを調整することにより、ドライブ用アンプ６２、プリファイナル用アンプ６４及びファイナル用アンプ６５の制御端子におけるオートパワー制御電圧信号ＡＰＣＶの入力量及び入力タイミングを適当な範囲で調整自在になっている。
【００３０】
ＡＰＣ回路８８は、ＣＰＵ５３（図２）からのデジタル信号形式のオートパワー制御信号ＡＰＣを入力されて、アナログ信号形式のオートパワー制御電圧信号ＡＰＣＶを生成する。ＡＰＣ回路８８は、また、オートパワー制御信号ＡＰＣに対するオートパワー制御電圧信号ＡＰＣＶをＶｄｓに基づき補正して、ＲＦ信号増幅部８０の送信電力特性が、オートパワー制御信号ＡＰＣに対して所期のものとなるようにする。
【００３１】
ＲＦ信号増幅部６０（図５）では、可変インピーンダンス部８２，８４，８５が装備されていないので、オートパワー制御電圧信号ＡＰＣＶの調整範囲に対するドライブ用アンプ６２、プリファイナル用アンプ６４及びファイナル用アンプ６５の出力調整範囲は固定され、結果、ＲＦ信号増幅部６０の出力特性の調整範囲も固定されている。これに対して、該ＲＦ信号増幅部８０では、可変インピーンダンス部８２，８４，８５が装備されるので、オートパワー制御電圧信号ＡＰＣＶの調整範囲に対するドライブ用アンプ６２、プリファイナル用アンプ６４及びファイナル用アンプ６５の出力調整範囲がＲＦ信号増幅部６０（図５）の場合よりも広い範囲で調整可能となり、結果、ＲＦ信号増幅部６０の出力特性の調整範囲を広げて、より多くの送信電力仕様に対応することができる。
【００３２】
ＲＦ信号増幅部８０では、ＡＰＣ回路８８を使用しているが、ＡＰＣ回路８８の代わりにＤ／Ａ変換器７０（図５）を使用することも可能である。
【００３３】
図７はさらに別のＲＦ信号増幅部９０の回路図である。送信側ＲＦ信号増幅部６０（図５）との相違点は、Ｄ／Ａ変換器７０の出力が、ドライブ用アンプ６２、プリファイナル用アンプ６４及びファイナル用アンプ６５へ個々に送られるようになっていることである。Ｄ／Ａ変換器７０は、ＣＰＵ５３（図２）からの共通のオートパワー制御信号ＡＰＣに対して、ドライブ用アンプ６２、プリファイナル用アンプ６４及びファイナル用アンプ６５へはそれぞれ別のオートパワー制御電圧信号ＡＰＣＶを出力するようになっている。これにより、ＲＦ信号増幅部８０の出力特性の精度及び調整範囲を向上させることができる。
【００３４】
図８は無線通信仕様の異なる２個の地域間で携帯型無線通信機による交信を可能にしたシステム構成図である。図１と同一の技術事項の説明は省略し、相違点について述べる。
【００３５】
帯型無線通信機ＨＴＡ，ＨＴＢは地域Ａの送信電力仕様に自動切り替えされ、携帯型無線通信機ＨＴＣ，ＨＴＤは地域Ｂの送信電力仕様に自動切り替えされる。これら帯型無線通信機ＨＴＡ，ＨＴＢ，ＨＴＣ，ＨＴＤの具体例は携帯型無線通信機２０（図２）である。有線ネットワーク１８は、相互に異なる通信仕様地域における通信業者の基地局を相互に接続して、所定の通信規格でデータを送受自在とするものであり、基地局ＢＳ−Ａ，ＢＳ−Ｂは、有線ネットワーク１８を介して相互に接続される。
【００３６】
これにより、携帯型無線通信機ＨＴＡ，ＨＴＢ，ＨＴＣ，ＨＴＤは、それらの現在地における通信規格に自動的に切り替えられて、基地局ＢＳ−Ａ又はＢＳ−Ｂを介して同一通信仕様地域内の他の携帯型無線通信機と相互に交信自在となるとともに（例：ＨＴＡ−ＨＴＢ間の交信）、有線ネットワーク１８を介して他の通信仕様地域内の携帯型無線通信機とも交信自在になる（例：ＨＴＡ−ＨＴＣ間の交信）。
【００３７】
図９は無線通信機１００のブロック図である。無線通信機１００の一例は前述の携帯型無線通信機２０である。無線通信機１００は、ＲＦ信号増幅部１０１、制御信号供給手段１０２、デジタル信号供給手段１０３、選択指示手段１０４及び現在地検出手段１１０を備えている。
【００３８】
ＲＦ信号増幅部１０１は、送信用ＲＦ信号の増幅用に複数段に接続された複数の増幅器１０８を含む。各増幅器１０８は、アナログの制御信号の制御量に応じた出力電力に制御される。制御信号供給手段１０２は、デジタル信号を供給され、該デジタル信号の値に応じた制御量と該デジタル信号の供給タイミングに応じた制御タイミングとの制御信号を生成して、増幅器１０８へ供給する。
【００３９】
デジタル信号供給手段１０３は、ＲＦ信号増幅部１０１の電力立ち上がり時又は立下り時の各地域別の送信電力仕様でＲＦ信号増幅部に送信電力を出力させる各地域仕様別デジタル信号を生成自在とし、選択した地域仕様別デジタル信号を制御信号供給手段１０２に供給する。選択指示手段１０４は、ＲＦ信号増幅部１０１の電力立ち上がり又は立下りを実行する際は、現在地に適用される送信電力仕様に係る地域仕様別デジタル信号をデジタル信号供給手段１０３に選択させる。デジタル信号供給手段１０３及び選択指示手段１０４はソフトウェア処理により実現される。
【００４０】
ＲＦ信号増幅部１０１の具体例は送信側ＲＦ信号増幅部６０，８０，９０である。増幅器１０８の具体例は、ドライブ用アンプ６２、プリファイナル用アンプ６４又はファイナル用アンプ６５である。制御信号供給手段１０２の具体例はＤ／Ａ変換器７０である。デジタル信号供給手段１０３及び選択指示手段１０４を実現するソフトウェア処理は例えばＣＰＵ５３において実行される。ＲＦ信号増幅部１０１の送信電力仕様の具体例は図４で説明したＥＩＡ／ＴＡ規格及びＥＮ規格である。
【００４１】
増幅器１０８が供給される制御信号の具体例はオートパワー制御電圧信号ＡＰＣＶである。制御信号供給手段１０２が供給されるデジタル信号の具体例はオートパワー制御信号ＡＰＣである。
【００４２】
無線通信機１００では、各送信電力仕様を達成するために、ソフトウェア処理で、各送信電力仕様対応のデジタル信号を生成して、該デジタル信号を制御信号供給手段１０２へ送ればよいので、各送信電力仕様ごとに異なるハードウェア回路を複数装備することを省略できる。
【００４３】
好ましくは、制御信号供給手段１０２が増幅器１０８に供給する制御信号は各増幅器１０８に共通又は別々のものである。制御信号が各増幅器１０８に共通となっている具体例は、送信側ＲＦ信号増幅部６０（図５）のオートパワー制御電圧信号ＡＰＣＶである。制御信号が各増幅器１０８に別々となっている具体例は、ＲＦ信号増幅部９０（図７）のオートパワー制御電圧信号ＡＰＣＶである。
【００４４】
好ましくは、無線通信機１００は現在地検出手段１１０を備える。選択指示手段１０４は、現在地に適用される送信電力仕様に係る地域仕様別デジタル信号をデジタル信号供給手段１０３に選択させるが、この現在地は、典型的には、現在地検出手段１１０が検出した現在地とする。現在地検出手段１１０の具体例はＧＰＳ信号抽出部５５（図２）であり、現在地検出手段１１０は、例えば、ＧＰＳ電波から現在地を検出する。現在地は、現在地検出手段１１０による自動検出に代えて、ユーザが、無線通信機１００の使用のつど、又は通信仕様の異なる地域への移動のつど、使用に先立って、手動操作形式で無線通信機１００に設定してもよいとする。その場合、ユーザは、厳密な現在地を設定することなく、現在地が属する地域であって、該地域において使用される通信仕様に対応する該地域、例えば国を設定するようになっていてもよい。
【００４５】
無線通信機１００は、少なくとも１個の増幅器１０８に対して、制御信号に対する出力遅延時間又は出力レベル範囲の調整用の可変抵抗素子又は可変容量素子を備える。該可変抵抗素子又は可変容量素子の具体例は可変インピーンダンス部８２，８４，８５である。可変抵抗素子又は可変容量素子を装備することにより、制御信号に対する増幅器１０８の出力遅延時間又は出力レベルの制御範囲を変更したり、広げたりすることが可能になる。可変抵抗素子又は可変容量素子の抵抗又は容量の調整は、典型的には、ユーザが手動で行うが、ＣＰＵの出力により直接又は間接に調整可能にすることもできる。
【００４６】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。例えば、最良の形態に示される全構成要素からいくつかの構成要素を削除してもよい。
【図面の簡単な説明】
【００４７】
【図１】無線通信仕様の異なる２個の仕様地域における携帯型無線通信機の使用状況を示す図である。
【図２】携帯型無線通信機の概略的な全体回路図である。
【図３】携帯型無線通信機が記憶部の不揮発性メモリ部に記憶している情報内容を示す図である。
【図４】携帯型無線通信機の各送信電力仕様における送信側ＲＦ信号増幅部の送信出力立ち上げ時の出力特性を示す図である。
【図５】送信側ＲＦ信号増幅部の回路図である。
【図６】別のＲＦ信号増幅部の回路図である。
【図７】さらに別のＲＦ信号増幅部の回路図である。
【図８】無線通信仕様の異なる２個の地域間で携帯型無線通信機による交信を可能にしたシステム構成図である。
【図９】無線通信機のブロック図である。
【符号の説明】
【００４８】
１００：無線通信機、１０１：ＲＦ信号増幅部、１０２：制御信号供給手段、１０３：デジタル信号供給手段、１０４：選択指示手段、１０８：増幅器、１１０：現在地検出手段。
【図１】
2008153972.tif 000003
【図２】
2008153972.tif 000004
【図３】
2008153972.tif 000005
【図４】
2008153972.tif 000006
【図５】
2008153972.tif 000007
【図６】
2008153972.tif 000008
【図７】
2008153972.tif 000009
【図８】
2008153972.tif 000010
【図９】
2008153972.tif 000011